(57)【要約】【課題】着脱の際にドライバー等の工具を用いる必要のないトラップマスキャップであって、かつ、設置箇所の美観の向上を可能にするトラップマスキャップを提供する。【解決手段】本考案に係るトラップマスキャップは、全体形状が筒状に形成され、下部側にトラップマスの上端開口部に嵌入する嵌入部を有し、内方に中蓋係止部を有する外蓋部と、有底の筒状に形成され、外蓋部に嵌入して収納される中蓋部とを備えて、トラップマスの上端部に着脱可能に装着されてトラップマスの上端開口部を封止する。【選択図】図１
0003128438.tif 000002
【実用新案登録請求の範囲】
【請求項１】
トラップマスの上端部に着脱可能に装着されトラップマスの上端開口部を封止するトラップマスキャップにおいて、
全体形状が筒状に形成され、下部側に前記トラップマスの上端開口部に嵌入する嵌入部を有し、内方に中蓋係止部を有する外蓋部と、
有底の筒状に形成され、前記外蓋部に嵌入して収納される中蓋部とを備えることを特徴とするトラップマスキャップ。
【請求項２】
前記外蓋部および前記中蓋部は、円筒状であることを特徴とする請求項１記載のトラップマスキャップ。
【請求項３】
前記中蓋部は、回動可能に設けられる取手と、取手収納部とを備えることを特徴とする請求項１又は請求項２記載のトラップマスキャップ。
【請求項４】
前記取手は、引出し機構を備えることを特徴とする請求項１〜３のいずれか一項記載のトラップマスキャップ。
【請求項５】
前記外蓋部および前記中蓋部は、それぞれの壁面部に貫通孔を備えることを特徴とする請求項１〜４のいずれか一項記載のトラップマスキャップ。
【考案の詳細な説明】
【技術分野】
【０００１】
本考案は、トラップマスキャップに関し、さらに詳細には、筒状に形成される外蓋部と、有底の筒状に形成され、前記外蓋部に嵌入して収納される中蓋部とを備えて、トラップマスの上端部を封止するトラップマスキャップに関する。
【背景技術】
【０００２】
家庭等の排水管には下水本管に接続される前段においてトラップマスが設けられる。トラップマスは内部の定期的な点検・清掃を必要とするものであることから、点検・清掃時に着脱が可能なトラップマスキャップが上端部に設けられる。
【０００３】
しかしながら、従来、トラップマスキャップを取り外すためには、ドライバー等の工具を取り外し用の溝に差し込んでこじ開ける等していたため、作業が煩わしいばかりか、キャップを破損してしまう等の問題が生じていた。
【０００４】
そのような問題を解消すべく提案された従来のトラップマスキャップの例として、特許文献１に記載のトラップマスキャップ１００がある（図８）。トラップマスキャップ１００は、蓋１０１の上面中央部に凹部１０４を介して台座１０３を設け、該台座１０３には該凹部１０４に臨出する表示板１０６を取付け、該表示板１０６の該凹部１０４への臨出部分を蓋１０１をはずす手がかりとする構成を備える。
【０００５】
【特許文献１】特開平１１−２８０１３８号公報
【考案の開示】
【考案が解決しようとする課題】
【０００６】
上記のトラップマスキャップ１００によれば、工具を使用せずにトラップマスキャップの着脱が可能ではある。しかしながら、これまでのトラップマスキャップと同様に樹脂製のキャップ部の上面全体を外部に露呈する構成であるため、設置箇所において違和感を生じさせて美観を損ねてしまう等の問題が生じる。
【０００７】
本考案は、上記事情に鑑みてなされ、着脱の際にドライバー等の工具を用いる必要のないトラップマスキャップであって、かつ、設置箇所の美観の向上を可能にするトラップマスキャップを提供することを目的とする。
【課題を解決するための手段】
【０００８】
本考案は、以下に記載するような解決手段により、前記課題を解決する。  
【０００９】
本考案に係るトラップマスキャップは、トラップマスの上端部に着脱可能に装着されトラップマスの上端開口部を封止するトラップマスキャップにおいて、全体形状が筒状に形成され、下部側に前記トラップマスの上端開口部に嵌入する嵌入部を有し、内方に中蓋係止部を有する外蓋部と、有底の筒状に形成され、前記外蓋部に嵌入して収納される中蓋部とを備えることを特徴とする。
【００１０】
また、前記外蓋部および前記中蓋部は、円筒状であることを特徴とする。
【００１１】
また、前記中蓋部は、回動可能に設けられる取手と、取手収納部とを備えることを特徴とするとともに、前記取手は、引出し機構を備えることを特徴とする。
【００１２】
また、前記外蓋部および前記中蓋部は、それぞれの壁面部に貫通孔を備えることを特徴とする。
【考案の効果】
【００１３】
請求項１によれば、外蓋部と中蓋部との嵌合時にそれぞれの上端部高さが略一致するように構成されるため、段差が生じることなく、上方通過時の安全性が確保でき、また美観を向上させることが可能となる。また、中蓋部が、内方に空間を有する容器状となるため、外蓋部の外周に配設される素材（土、木材、タイル等）と同一の素材を当該中蓋部の内方に収容することが可能となる。
【００１４】
請求項２によれば、外蓋部を、外径の異なる二つの円筒をつなぎ合わせたような形状とすることができるため、下部の円筒をパイプ嵌入部として構成することができ、通常、円筒状である排水パイプへの嵌入設置を容易化することが可能となる。また、つなぎ合わせ部分に段差が形成されるため、内側の段差を中蓋係止部として活用し、外側の段差を外蓋係止部として活用することが可能となる。
【００１５】
請求項３および請求項４によれば、ドライバー等の工具を必要とすることなく、中蓋部を取り外すことが可能となり、トラップマス（排水パイプ）の内部点検を容易に行うことが可能となる。さらに、取手に引き出し機構が設けられることによって、取手を収納状態から引き出す際に一層簡単に引き出すことが可能となる。また、取手収納部が設けられる構成により、取手が上方に突出させることなく収納されて、外蓋部の壁面部の上端部、ならびに中蓋部の壁面部および上壁部の上端部と略同一平面を形成するため、外部の美観を向上させることが可能となる。また、上壁部によって、中蓋部内に収容物を保持させることが可能となる。
【００１６】
請求項５によれば、貫通孔は、壁面部に木材を固定する釘を打つため、あるいはモルタルを固定するための孔として用いることが可能となる。また、中蓋部の壁面部の貫通孔と、外蓋部の壁面部の貫通孔とを連通させることによって、中蓋部内の水分を外蓋部外へ放出することが可能となる。
【考案を実施するための最良の形態】
【００１７】
以下、図面を参照して、本考案の実施の形態について詳しく説明する。図１は、本考案の実施の形態に係るトラップマスキャップ１の一例を示す概略図である。また、図２は、そのトラップマスキャップ１の構成を示す上面図である。図３は、そのトラップマスキャップ１の外蓋部２の構成を示す概略図である。図４は、そのトラップマスキャップ１の中蓋部３の構成を示す概略図である。図５は、本考案の実施の形態に係るトラップマスキャップ１の第一の使用例を示す説明図である。図６は、本考案の実施の形態に係るトラップマスキャップ１の第二の使用例を示す説明図である。図７は、本考案の実施の形態に係るトラップマスキャップ１の第三の使用例を示す説明図である。
【００１８】
図１に示すトラップマスキャップ１は、トラップマスの上端開口部すなわち排水パイプ１０の開口部を封止可能に取り付けられる。より具体的には、外蓋部２のパイプ嵌入部８を、排水パイプ１０に嵌入することによって取り付けがなされる。すなわちトラップマスの上端部すなわち排水パイプ１０は、地面より掘り下げられた位置にその上端開口部が配設されるように構成される。
【００１９】
ここで、トラップマスキャップ１は、底部を有する円筒状に形成される中蓋部３を、円筒状に形成される外蓋部２の内方に略隙間なく着脱可能に嵌入させて構成される。嵌入に際しては、中蓋部３の底部６を、外蓋部２の内方に設けられる中蓋係止部７に当接させることによって係止される。このとき、外蓋部２と中蓋部３の高さが略一致するように、中蓋係止部７を配設することが好適である。
【００２０】
図３に示すように、外蓋部２は、外径の異なる二つの円筒をつなぎ合わせたような形状である。下部にパイプ嵌入部８を備えて、排水パイプ１０が外蓋係止部９に当接するまで、排水パイプ１０内に嵌入することが可能である。これにより外蓋部２はトラップマスの上端部に係止されることとなる。なお、当該「円筒形状」は、厳密な円筒である必要はなく、パイプ嵌入部８、壁面部４ともに斜度を有する形状であってもよい。また、円筒形状に限定されず、角筒形状であってもよい。
【００２１】
壁面部４には複数の貫通孔２１、２２が設けられる。一例として、上段の貫通孔２１は、外蓋部２の壁面部４の外周に木材を配設する際に、木材を固定するための釘用として、あるいはタイルを配設する際に、モルタルの固定用として使用することが可能である。一方、下段の貫通孔２２は、中蓋部３の壁面部５の貫通孔２４と連通させることによって、中蓋部３内の水分を外蓋部２外へ放出することが可能である。
【００２２】
図４に示すように、中蓋部３は、円筒状であって、底部６を有する形状である。中蓋部３の下端部外周面には、嵌合溝１６が設けられて、一例として、耐水ゴムからなるリング状のシーリング材１４が嵌め込まれる。シーリング材１４は、中蓋部３が外蓋部２に嵌入された際に、水および臭気が中蓋部３と外蓋部２との間の嵌入部を通過することを防止する。
【００２３】
中蓋部３の壁面部５には複数の貫通孔２３、２４が設けられる。一例として、上段の貫通孔２３は、中蓋部３の壁面部５の内方に木材を配設する際に、木材を固定するための釘用として、あるいはタイルを配設する際に、モルタルの固定用として使用することが可能である。一方、下段の貫通孔２４は、外蓋部２の壁面部４の貫通孔２２と連通させることによって、中蓋部３内の水分を外蓋部２外へ放出することが可能である。
【００２４】
中蓋部３の上部には、回動可能な取手１１と、取手収納部１２が設けられる。取手１１は、通常、取手収納部１２内に収納されているが、中蓋部３を外蓋部２から取り外す際には、取手１１を回動させて中蓋部３の上方まで引き出すことによって、人手による把持が可能となり、中蓋部３を上方に吊り上げることが可能となる。なお、取手１１の中蓋部３への取付構造は、取手１１の両先端部をシャフト状に形成するとともに、中蓋部３の上壁部１５に挿入孔（図示しない）を設けて、そこに挿入して取り付けられる。なお、一例として、取手１１はステンレススチールにより製造される。
【００２５】
ここで、取手１１には、引き出し機構１３が設けられる。引き出し機構１３は一例として、図４に示すような、切欠形状である。また、他の例としてつまみ形状としてもよい。引き出し機構１３の大きさ、形状は特に限定されないが、工具を使用せずに引き出し可能である形状が好適である。
【００２６】
一方、取手収納部１２は、壁面部５よりも取手１１の幅長さ程度小さい外径の上壁部１５を、中蓋部３上部に略半周に渡り設けて壁面部５と接続させるとともに、当該略半周に渡り壁面部５を取手１１の厚さ程度低く設けることによって、略取手１１形状と同寸法の収納スペースを生じさせて形成されるものである。
【００２７】
つづいて、上記構成に基づく作用と効果について説明する。
まず、トラップマスキャップ１は、外蓋部２の内方に設けられる中蓋係止部７によって、中蓋部３を外蓋部２に嵌入した際に、外蓋部２と中蓋部３のそれぞれの上端部高さが略一致するように構成されるため、段差が生じることなく、上方通過時の安全性が確保でき、また美観が優れるという効果を生じる。
【００２８】
特に、中蓋部３が、円筒状であって、底部６を有する形状である構成によって、本考案は顕著な効果を奏する。すなわち、中蓋部３は内方に空間を有する容器状であるため、外蓋部２の外周に配設される素材と同一の素材を当該中蓋部３の内方に収容することができるという効果を生じるのである。例えば、トラップマスが土からなる地面に設置される場合には、外蓋部２の外周には「土」が配設されることとなるが、その際に、中蓋部３の内方に「土３１」を収容することによって、トラップマスキャップ１を周囲と同化させることが可能となる（図５）。このとき、トラップマスキャップ１の構成要素であって外部から視認が可能なのは、外蓋部２の壁面部４の上端部、中蓋部３の壁面部５および上壁部１５の上端部、中蓋部３の取手部１１のみである。したがって、従来のキャップが樹脂製あるいは金属製の上面全体を外部に露呈し、設置箇所において違和感を生じさせて美観を大きく損ねていたのに対し、本考案に係るトラップマスキャップ１はその欠点を効果的に解消することができるものである。
【００２９】
同様に、図６のように、外蓋部２の外周に「芝生」が配設されるときには、中蓋部３の内方に「芝生３２」を収容することによって、トラップマスキャップ１を周囲と同化させることが可能となり、また、図７のように、外蓋部２の外周に「木材」が配設されるときには、中蓋部３の内方に「木材３３」を収容することによって、トラップマスキャップ１を周囲と同化させることが可能となる。なお、木材の場合は木目があるため、木目を一致させて一体感が生じるように、外蓋部２と中蓋部３とを適切な位置で嵌合させるための嵌合マークあるいは凹凸等の嵌合機構を設けることが好適である。
【００３０】
上記のように、トラップマスキャップ１を、周囲が木材である環境下に設置する際は、特に、貫通孔２１および２３が顕著な効果を生じる。すなわち、外蓋部２の壁面部４の貫通孔２１は、壁面部４の外周に木材に対して、釘を打つための孔として用いることができる。これによって、周囲の木材と外蓋部２とが確実に固定されるという効果を生じる。一方、中蓋部３の壁面部５の貫通孔２３は、壁面部５の内方に木材３３を配設する際に、木材３３を固定するための釘を打つための孔として用いることができる。これによって、中蓋部３と木材３３とが確実に固定されて、その上を通行可能にするという効果を生じる。
【００３１】
また、トラップマスキャップ１を、周囲が土および芝生である環境下に設置する際は、特に、貫通孔２２および２４が顕著な効果を生じる。すなわち、例えば、中蓋部３の内方に土３１を配設する場合には、雨水の浸入により、土３１が泥状化してその上の通行が阻害される問題が生じる。一方、中蓋部３の内方に芝生３２を配設する場合には、成育用散水が行われることが想定されるところ、水分過多になってしまうと根腐れ等が生じ、成育が阻害される問題が生じる。しかしながら、中蓋部３の壁面部５の貫通孔２４と、外蓋部２の壁面部４の貫通孔２２とを連通させることによって、中蓋部３内の水分を外蓋部２外へ放出することが可能となり、そのような問題を効果的に解消することが可能となる。なお、貫通孔２４と貫通孔２２との連通を効果的に行うために、孔形状を長孔状に形成するのが好適である。また、外蓋部２と中蓋部３とを適切な位置で嵌合させるための嵌合マークあるいは凹凸等の嵌合機構を設ける構成とすることも好適である。
【００３２】
また、取手１１を設ける構成は、従来のキャップが工具を使用しなければ取外しが困難なものであったのに対し、工具を一切必要とすることなく、中蓋部３を取り外すことが可能となり、トラップマス（排水パイプ１０）の内部点検が極めて容易になるという効果を生じる。さらに、取手１１に、引き出し機構１３が設けられることによって、取手１１を収納状態から引き出す際に一層簡単に引き出しが可能となる効果を生じる。
【００３３】
また、取手収納部１２の構成により、取手１１が取手収納部１２に収納された状態において、外蓋部２の壁面部４の上端部ならびに中蓋部３の壁面部５および上壁部１５の上端部と略同一平面を形成するため、外部の美観が優れるという効果が生じる。特に、壁面部５を前述の通り略半周に渡り取手１１の厚さ程度低く設ける構成によって、前述のように取手１１を上方に突出させることなく、平面状に収納することが可能となる。その一方で、壁面部５よりも取手１１の幅長さ程度小さい外径の上壁部１５を、中蓋部３の略半周に渡り設けて壁面部５と接続させる構成によって、中蓋部３内に収容物を保持させる効果を生じさせている。
【００３４】
本考案は、特に定期的な内部点検を必要とするトラップマスの上端部におけるトラップマスキャップとして用いることが好適である。上述のように、点検時の取外しの際に、工具が不要で非常に容易に行えるという顕著な効果を有する一方で、従来のキャップが樹脂製あるいは金属製の上面を大きく露呈して設置箇所の美観を損ねてしまっていた点を効果的に解消し、周囲との同化・調和により美観が向上するという顕著な効果を有するものである。
【００３５】
なお、本考案に係るトラップマスキャップは、マンホール蓋にも適用することができることはもちろんである。
【図面の簡単な説明】
【００３６】
【図１】本考案の実施の形態に係るトラップマスキャップの一例を示す概略図である。
【図２】図１のトラップマスキャップの構成を示す上面図である。
【図３】図１のトラップマスキャップの外蓋部２の構成を示す概略図である。
【図４】図１のトラップマスキャップの中蓋部３の構成を示す概略図である。
【図５】図１のトラップマスキャップの第一の使用例を示す説明図である。
【図６】図１のトラップマスキャップの第二の使用例を示す説明図である。
【図７】図１のトラップマスキャップの第三の使用例を示す説明図である。
【図８】従来の実施の形態に係るトラップマスキャップの一例を示す概略図である。
【符号の説明】
【００３７】
１  トラップマスキャップ
２  外蓋部
３  中蓋部
４  壁面部
５  壁面部
６  底部
７  中蓋係止部
８  パイプ嵌入部
９  外蓋係止部
１０  排水パイプ
１１  取手
１２  取手収納部
１３  引き出し機構
１４  シーリング材
１５  上壁部
１６  嵌合溝
２１  貫通孔
２２  貫通孔
２３  貫通孔
２４  貫通孔
３１  土
３２  芝生
３３  木材
【図１】
0003128438.tif 000003
【図２】
0003128438.tif 000004
【図３】
0003128438.tif 000005
【図４】
0003128438.tif 000006
【図７】
0003128438.tif 000007
【図８】
0003128438.tif 000008
【図５】
0003128438.tif 000009
【図６】
0003128438.tif 000010